(57)【要約】【課題】この発明は訓練用バーを簡単な構造で、確実に設けることができるようにしたベッド装置を提供することにある。【解決手段】ベッドフレーム３と、このベッドフレームの長手方向の一端と他端とにそれぞれ設けられ幅方向の中央部分に取付け孔１９が設けられたボード体４，５と、吊下り部２２及びこの吊下り部の両端にそれぞれ設けられた支持部２４とを有し、これら一対の支持部が上記取付け孔に挿入されて上記吊下り部が上記ベッドフレームの幅方向中央部分の上方に長手方向に沿って配置される訓練用バー２１とを具備する。【選択図】　　図１
2004065577.tif 000002
【特許請求の範囲】
【請求項１】
ベッドフレームと、
このベッドフレームの長手方向の一端と他端とにそれぞれ設けられ幅方向の中央部分に取付け孔が設けられたボード体と、
吊下り部及びこの吊下り部の両端にそれぞれ設けられた支持部とを有し、これら一対の支持部が上記取付け孔に挿入されて上記吊下り部が上記ベッドフレームの幅方向中央部分の上方に長手方向に沿って配置される訓練用バーと、
を具備したことを特徴とするベッド装置。
【請求項２】
連結部及びこの連結部の両端に設けられた一対の側部とからなり、一対の側部の下端部が上記ベッドフレームの幅方向両側に支持されるとともに、上記ベッドフレームの幅方向に沿う上記連結部が上記訓練用バーの吊下がり部に連結される補強バーを有することを特徴とする請求項１記載のベッド装置。
【請求項３】
上記補強バーの側部には、利用者の動作を介助する介助部材が上記補強バーを中心にして回転可能に設けられていることを特徴とする請求項２記載のベッド装置。
【発明の詳細な説明】
【０００１】
【発明の属する技術分野】
この発明は病人などの利用者が療養中に体力回復の訓練を行うことができるベッド装置に関する。
【０００２】
【従来の技術】
長期にわたってベッド生活を送らなければならない病人などの利用者は、その間に体力が著しく低下してしまう。したがって、病気が治癒した後、体力を回復させるために長期間の訓練を行わなければならないため、この訓練期間中も退院することができない。その結果、病気が治癒した後もかなりの期間、入院生活を続けなければならなくなる。
【０００３】
そこで、入院中に利用者が病状などの体力状態に応じて病床で体力回復訓練を行い、病気が治癒した後、できるだけ早期に退院できるようにすることが望ましい。
【０００４】
そこで、本件出願人は実公昭６１−２５４７２号公報に示されるベッド装置を提案した。この公報に示されたベッド装置はベッドフレームの長手方向に沿って体力回復用訓練バーが設けられている。この体力回復用訓練バーは吊り革を有する吊り下げ部と、この吊り下げ部の両端に曲成された支持部とが一体形成されている。
【０００５】
上記ベッドフレームの長手方向一端と他端とにはヘッドボード体とフットボード体とがそれぞれ設けられ、各ボード体の外側には支持管が立設されている。そして、上記体力回復訓練用バーは、その一対の支持部が上記支持管に挿入固定されることで、ベッドフレームに設けられている。
【０００６】
したがって、利用者は上記吊り革に掴まるなどして体力の回復訓練を行うことができる。
【０００７】
【発明が解決しようとする課題】
ところで、上述した従来のベッド装置によると、ベッドフレームに体力回復訓練用バーの支持部を取付けるために、ベッドフレームの長手方向の両端に設けられた一対のボード体の外側にそれぞれ上記支持管を設けるようにしていた。
【０００８】
そのため、支持管がボード体の外側に位置する分だけベッド装置が長尺になるということがあったり、支持管をわざわざ設けなければならないから、その分、部品点数の増加や構成の複雑化を招くということがあった。
【０００９】
この発明は、ベッドフレームの長手方向の両端に設けられるボード体を利用して訓練用バーを取付けることができるようにしたベッド装置を提供することにある。
【００１０】
【課題を解決するための手段】
請求項１の発明は、ベッドフレームと、
このベッドフレームの長手方向の一端と他端とにそれぞれ設けられ幅方向の中央部分に取付け孔が設けられたボード体と、
吊下り部及びこの吊下り部の両端にそれぞれ設けられた支持部とを有し、これら一対の支持部が上記取付け孔に挿入されて上記吊下り部が上記ベッドフレームの幅方向中央部分の上方に長手方向に沿って配置される訓練用バーと、
を具備したことを特徴とするベッド装置にある。
【００１１】
請求項２の発明は、連結部及びこの連結部の両端に設けられた一対の側部とからなり、一対の側部の下端部が上記ベッドフレームの幅方向両側に支持されるとともに、上記ベッドフレームの幅方向に沿う上記連結部が上記訓練用バーの吊下がり部に連結される補強バーを有することを特徴とする請求項１記載のベッド装置にある。
【００１２】
請求項３の発明は、上記補強バーの側部には、利用者の動作を介助する介助部材が上記補強バーを中心にして回転可能に設けられていることを特徴とする請求項２記載のベッド装置にある。
【００１３】
この発明によれば、ボード体に取付け孔を形成し、この取付け孔に訓練用バーの支持部を挿入するようにしたから、訓練用バーをベッドフレームに取付けるために専用の部品を必要とすることがない。
【００１４】
【発明の実施の形態】
以下、図面を参照しながらこの発明の一実施の形態を説明する。
【００１５】
図１乃至図３はこの発明の一実施の形態に係るベッド装置を示し、このベッド装置はベースフレーム１を備えている。このベースフレーム１にはリンク２によってベッドフレーム３が上下動可能に設けられている。上記リンク２は上下駆動機構４によって図１に示す倒伏状態から矢印で示す起立方向に駆動されるようになっている。それによって、上記ベッドフレーム３は上昇方向に駆動されるようになっている。
【００１６】
上記ベッドフレーム３には床板体４が設けられている。この床板体４は複数の床部に分割されている。つまり、床板体４は、図２に示すように上記ベッドフレーム１の長手方向中央部分に固定して設けられた固定床部５を有する。この固定床部５の一側には腰上げ床部６と背上げ床部７とが順次回動可能に連結されている。上記固定床部５の他側には、第１の脚上げ床部８と第２の脚上げ床部９とが順次回動可能に連結されている。
【００１７】
上記床板体４の下面側には起伏駆動機構１１が設けられている。詳細は図示しないが、この起伏駆動機構１１によって上記背上げ床部７と第１、第２の脚上げ床部８，９を、図１に実線で示す状態と、鎖線で示す状態とに起伏駆動できるようになっている。なお、床板体４上には、この床板体４の起伏駆動に湾曲するマットレスＭが載置されている。
【００１８】
上記ベッドフレーム３の四隅部には支持孔１２が形成された支持部材１３が設けられている。ベッドフレーム３の長手方向一端側に位置する一対の支持部材１３にはヘッドボード体１４が着脱可能に取付けられ、他端側に位置する一対の支持部材１３にはフットボード体１５が着脱可能に取付けられている。
【００１９】
つまり、各ボード体１３，１５は、図３に示すようにパイプ材をほぼ逆Ｕ字状に曲成したフレーム１６と、このフレーム１６の一対の側部１６ａの下端部間に架設された横部材１７と、横部材１７とフレーム１６の中途部１６ｂとの間に設けられたパイプ材によって形成された３本の縦部材１８とからなる。図４に示すように、上記フレーム１６の中途部１６ｂには中央の縦部材１８に連通する取付け孔１９が穿設されている。
【００２０】
そして、上記フレーム１６の一対の側部１６ａの下端部が上記支持部材１３の支持孔１２に着脱可能に挿入支持されている。
【００２１】
上記ベッドフレーム３の幅方向中途部には、長手方向に沿って訓練用バー２１が架設されている。この訓練用バー２１は、パイプ材によって直線状の吊下り部２２及びこの吊下り部２２の両端にそれぞれ傾斜部２３を介して支持部２４が折曲形成されてなる。一対の支持部２４の下端には、この支持部２４よりも細径で、上記フレーム１６に形成された取付け孔１９とほぼ同径の挿入部２５が一体的に設けられている。
【００２２】
そして、訓練用バー２１は、図４（ａ）に示すように一対の挿入部２５を各ボード体１４，１５のフレーム１６の中途部１６ｂに形成された取付け孔１９及びたて部材１８に挿入することで、ベッドフレーム３の幅方向中央部に、長手方向に沿って設けられている。この状態で、上記訓練用バー２１の吊下り部２２は床板体４の上方に位置している。
【００２３】
上記訓練用バー２１の吊下り部２２には吊り革２６が設けられている。この吊り革２６は上記吊下り部２２の所定の位置に固定的に設けてもよいが、この実施の形態では吊下り部２２に沿って移動可能に設けられている。
【００２４】
上記訓練用バー２１の吊下り部２２は補強バー３１によって補強されている。この補強バー３１は連結部３２と、この連結部３２の両端にＬ字状に折曲された一対の側部３３とがパイプ材によって一体成形されてなる。図４に示すように側部３３の下端には、この側部３３よりも細径な挿入部３４がテーパ部３５を介して設けられている。上記挿入部３４及びテーパ部３５にはブッシュ４０が外嵌固定されている。
【００２５】
上記ベッドフレーム３の幅方向両側には、それぞれ複数の取付け部材３６が設けられている。この取付け部材３６は、図４（ｂ）に示すようにベッドフレーム３の側部外面に一端が固定された固定部３７と、この固定部３７の他端に回動可能に連結された可動部３８とを有する。
【００２６】
そして、上記補強バー３１は、その側部３３の下端の挿入部３４に外嵌されたブッシュ４０を上記可動部３８に形成された支持孔３８ａに装着することで、ベッドフレーム３のヘッドボード体１４寄りの端部に幅方向に沿って設けられている。
【００２７】
上記補強バー３１の連結部３２は、上記訓練用バー２１の吊下り部２２の下側に位置し、この連結部３２の中途部は図４（ｃ）に示すように上記吊下り部２２にＵボルト４１によって連結固定されている。それによって、訓練用バー２１の吊下り部２２は上記補強バー３１によって補強されている。
【００２８】
図４（ｂ）に示すように、上記補強バー３１の一対の側部３３には、床板体４の上面よりもわずかに上方の位置に固定リング４２が固定されている。上記側部３３の固定リング４２よりも上方には可動パイプ４３が回転可能に外嵌されている。この可動パイプ４３にはパイプ材をＵ字状に曲成した介助部材４４が両端を固着して設けられている。
【００２９】
図３に示すように、利用者ＵがマットレスＭ上から立ち上がったり、座るなどの動作をする場合、利用者Ｕは上記介助部材４４に手を掛けることで、その動作を楽に行うことが可能となる。
【００３０】
さらに、ベッドフレーム３の両側には、それぞれ側柵４５が補強バー３１が取付けられていない取付け部材３６を利用して着脱可能に取付けられている。つまり、ベッドフレーム３のフットボード体１５寄りの両側に上記側柵４５が設けられている。
【００３１】
このような構成のベッド装置においては、図１に鎖線で示すように、床板体４の背上げ床部７を起上させて利用者Ｕが上半身を起こし、吊り革２６を把持することで、体力回復のための訓練を行うことができる。
【００３２】
利用者Ｕが吊り革２６を把持し、体重を加えても、訓練用バー２１の吊下り部２２は補強バー３１によって補強されているため、利用者Ｕの体重によって撓むことがない。そのため、利用者Ｕは吊り革２６に十分に荷重を加えて訓練を行うことができる。
【００３３】
利用者Ｕが仰臥したベッドフレーム３の上方には、訓練用バー２１が長手方向に沿って設けられ、補強バー３１が幅方向に沿って設けられている。つまり、訓練用バー２１と補強バー３１とはそれぞれの吊下り部２２と連結部３２とが利用者の上方で十字状に交差して配設されている。
【００３４】
そのため、地震などによって上方からの落下物があっても、その落下物は訓練用バー２１と補強バー３１とに衝突して利用者Ｕに直接落下し難いため、被災時の安全性が向上する。しかも、訓練用バー２１と補強バー３１とがＵボルト４１によって連結されているため、これらの強度が上昇し、落下物が衝突しても変形し難いということもある。
【００３５】
上記訓練用バー２１は、ヘッドボード体１４とフットボード体１５とを利用してベッドフレーム３の長手方向に沿って架設されている。つまり、上記各ボード体１４，１５に取付け孔１９を形成し、この取付け孔１９に上記訓練用バー２１の支持部２４を挿入支持するようにした。
【００３６】
そのため、訓練用バー２１を取付けるために、専用の部品を設けるということをせずにすむため、コスト的に有利であるばかりか、ベッド装置の長さ寸法を必要以上に大きくせずにすむ。
【００３７】
なお、上記一実施の形態では、訓練用バーを１つの補強バーによって補強するようにしたが、ベッドフレームの長手方向に所定間隔で複数の補強バーを設けて訓練用バーを補強するようにしてもよい。
【００３８】
【発明の効果】
以上のようにこの発明は、ボード体に取付け孔を形成し、この取付け孔に訓練用バーの支持部を挿入することで、訓練用バーをベッドフレームの長手方向に沿って架設するようにした。
【００３９】
そのため、訓練用バーをベッドフレームに取付けるための専用の部品を必要とすることがないからコスト的に有利であり、しかも専用の部品を設ける場合のようにベッド装置が大型化するということもない。
【図面の簡単な説明】
【図１】この発明の一実施の形態に係るベッド装置の正面図。
【図２】ベッド装置の平面図。
【図３】ベッド装置の側面図。
【図４】（ａ）はボード体と訓練用バーとの取付け部分の断面図、（ｂ）は補強バーとベッドフレームとの取付け部分の断面図、（ｃ）は訓練用バーと補強バーとの連結部分の断面図。
【符号の説明】
３…ベッドフレーム
１４…ヘッドボード体
１５…フットボード体
１９…取付け孔
２１…訓練用バー
２２…吊下り部
２４…支持部
３１…補強バー
４４…介助部材
【図１】
2004065577.tif 000003
【図２】
2004065577.tif 000004
【図３】
2004065577.tif 000005
【図４】
2004065577.tif 000006